(57)【要約】  アップライトピアノでダブルレペティション中に所謂マジックタッチ効果を提供するための改良した装置であって、該装置には、複数の鍵を備え、該鍵を揺動可能に鍵盤フレームに実装し、該鍵には、其々、適当に斜めに傾けた駆動要素を支持し、該駆動要素をネジ調節可能にし、傾斜揺動アームと相互連結させ、該アームは角度変化を制御する連続したエスケープメント・エネルギー・レバーとして機能し、次に急激に時計回りに下方へ傾斜する主要ブリッジに対して枢動し、該ブリッジはハンマーのバットローラに連結するエスケープメント・レバーと動作可能に揺動し、該ハンマーは第１柱状要素に対して枢動し、次に該要素は複数の調節ボタンを支持して第１及び第２エスケープメントを調節すること、を特徴とする。上記揺動ブリッジ組立体には第２柱状要素を連結して、該要素に対して第２エスケープメントのレバーを枢動させ、該レバーは調節ボタンを支持してその動作角度を調節し、第１エスケープメントのレバーと協働し、該レバーもやはり調節ボタンを支持する。【選択図】図１
2008513812.tif 000002
【特許請求の範囲】
【請求項１】
2008513812.tif 000003
【請求項２】
前記駆動要素は、略円筒形状を有し、調節手段及び、前記傾斜揺動アームの下側端部で画定する凹輪郭の座部に係合可能な弓形端部を備えること、を特徴とする請求項１に記載の装置。
【請求項３】
各前記鍵を揺動可能に前記鍵盤フレームに実装し、該鍵にはガイドスロットに収容する丸みを持った先端部を備えること、及び前記鍵の側面には、黒鍵を収容するよう設計したスロットを更に設けること、を特徴とする前請求項の１項又は複数項に記載の装置。
【請求項４】
前記主要揺動ブリッジ組立体には第１ハンマーチェッカーを支持し、該チェッカーは前記第２エスケープメントの前記レバーによって影響を受けず、前記レバーは、次に、僅かにＳ字型形状を有し、前記ハンマーのテール部に締着した第２ハンマーチェッカーと協働させること、を特徴とする前請求項の１項又は複数項に記載の装置。
【請求項５】
前記第１エスケープメントの前記レバーを略上方に伸長させ、前記主要揺動ブリッジ組立体に対して枢動させ、前記レバーには角度を付けたテール部を備え、該テール部を前記第１エスケープメントのボタンに取付けたパッド又はフェルト要素に当接するよう動作させること、を特徴とする前請求項の１項又は複数項に記載の装置。
【請求項６】
前記レバーはハンマーバットローラと協働し、該ローラによりハンマーフェルトを駆動させるが、該ハンマーフェルトを、ピンを介して、前記ハンマーにそのバットポイントで関連させること、を特徴とする前請求項の１項又は複数項に記載の装置。
【請求項７】
前記装置にはパッド又はフェルト要素を更に備え、該要素をハンマー受バー又はロッドに取付け、該バー又はロッドを、ハンマーロッド又はシャンク用ストローク要素端部として機能させるよう構成すること、を特徴とする前請求項の１項又は複数項に記載の装置。
【請求項８】
前記装置には、前記主要揺動ブリッジ組立体の第２柱状要素に、Ｖ字型バネを備え、該バネは鋭角に下方に存在し、第１エスケープメントのレバーと第２エスケープメントのレバーとの間で機能し、第２柱状要素に対して枢動し、前記両レバーには調節ボタン及びネジを備えること、を特徴とする前請求項の１項又は複数項に記載の装置。
【請求項９】
前記装置には、ピアノ弦音を減衰するダンパー要素を更に備え、前記ダンパー要素には、クランクレバーを備えて、その両端部に其々第１及び第２の金属製スプーン状要素を連結し、該要素を其々鍵の端部及びダンパーレバーの下側部と協働させ、該ダンパーレバーはその中央部周りで揺動でき、前記ダンパーレバーには、その他方端部で減衰用仕組みであるフェルト又はパッド要素を支持し、該要素をピアノ弦に作用させること、を特徴とする前請求項の１項又は複数項に記載の装置。
【請求項１０】
アップライトピアノでダブルレペティション中にマジックタッチ効果を提供する改良した装置であって、該装置には、複数の特別に設計した構成要素、即ち、ハンマーロッド又はシャンクを備え、該要素には時計回りに方向付けした角度配置を含み、これを“アルファ（α）”角度として、ハンマーバットピンの垂線に関して、定義し、該角度で十分に適当なポテンシャルエネルギーの差を、ハンマーを跳ね返す際に、提供し、それにより第２エスケープメントのＶ字型バネの力を克服し；ハンマーのテール部を独立させ、そのバットポイントで接着により、“カッパ（κ）”角度として、連結するバット要素に関して下方に方向付けして定義した角度で、連結させ、該バット要素駆動ローラを、ハンマーピンの水平線に関して大幅に下方に離隔させること、を特徴とする装置。
【請求項１１】
アップライトピアノでダブルレペティション中にマジックタッチ効果を提供する改良した装置であって、連結用ハンマーバットは、その側端部で接着により、ハンマーテール部を、適当に上方に時計回りに傾斜させて、支持し、該テール部には、その下側端部を下方向に向けて、次に金属製アームで前記テール部に固定してハンマーキャッチャーを備え；ダンパー装置を、柱状要素のピンに対して枢動させ、該ダンパー装置を金属製フォークの枢動ピンに対して枢動する摺動輪の運動中に、駆動し；該摺動輪を、その運動部で、ダンパー組立体の下側端部に締着した楔状要素に作用させるが、該要素はネジ調節可能であり；鍵がそのエネルギーを与えると、前記傾斜揺動アームは、前記主要ブリッジ組立体を付勢し、ハンマーバットローラ下にある、前記第１エスケープメント及び第２エスケープメントの前記レバーを介して、動作すること、を特徴とする前請求項の１項又は複数項に記載の装置。
【請求項１２】
アップライトピアノでダブルレペティション中にマジックタッチ効果を提供する改良した装置であって、前記第２エスケープメントの前記レバーを、その動作ストローク中に、柱に固着したボタンにより係止し、それにより角度運動を提供し、該運動は、スプーンに作用することで、前記第１エスケープメントの前記レバーを下降させ、それにより前記ハンマーを、ピアノ弦を叩打後に後方に、跳ね返り可能にして、第２ハンマーキャッチャーと協働するハンマーキャッチャーと固定係合させ、傾斜振動アームには、その中間部分に、枢動ピンを枢動させる部分に係合する上側端部を有する調節用金属製ネジを備え；前記ネジは、その反時計回りの回転運動中、上方向への力を提供する一方、前記ネジの下端部で、ピンで枢動させる部分に係合し、前記ネジは反時計回り方向に動作し、下方向の力を伝達し、それにより対向側での迅速な部品の展開運動を発生させること、を特徴とする前請求項の１項又は複数項に記載の装置。
【請求項１３】
アップライトピアノでダブルレペティション中にマジックタッチ効果を提供する改良した装置であって、前記柱を前記主要揺動ブリッジに固定し、該柱には、幅広のスロットを備えて、前記第２エスケープメントの前記第２レバーに対して枢動するバネを該スロットから通し、それにより該バネで前記第１エスケープメントの前記レバーを、反時計回りに方向付け可能にして、前記調節ボタンで時計回りに方向付け及び係止する前記第２エスケープメントの前記第２レバーのスロットに係合させた前記フェルトに対して停止当接させること、を特徴とする前請求項の１項又は複数項に記載の装置。
【請求項１４】
アップライトピアノでダブルレペティション中にマジックタッチ効果を提供する改良した装置であって、前記揺動ブリッジには、その中央部分に、バネを前記ブリッジの下側部分に存在させるようにそこを通過させるスロットを備え、それにより前記第１及び第２エスケープメントの前記両レバーの運動に関する弾力性を増大させ、前記ネジを調節ネジとして機能させて該バネ力を調節すること、を特徴とする前請求項の１項又は複数項に記載の装置。
【請求項１５】
アップライトピアノでダブルレペティション中にマジックタッチ効果を提供する改良した装置であって、前記第１エスケープメントの前記第１レバーには、その下端部に、スプーン状要素を支持し、前記要素は前記第２エスケープメントの前記レバーの枢動点に取着したボタンと協働し；前記ボタンを下降させると、前記ボタンが前記レバーに影響を及ぼして前記レバーを時計回り方向に外し、それにより前記ハンマーを自由にしてそのエネルギー又は力を前記ピアノ弦に対して伝達可能にすること、を特徴とする前請求項の１項又は複数項に記載の装置。
【請求項１６】
アップライトピアノでダブルレペティション中にマジックタッチ効果を提供する改良した装置であって、該装置は、水平線に関して、斜位で、上向き方向なブリッジのピン間軸で動作すること、を特徴とする前請求項の１項又は複数項に記載の装置。
【請求項１７】
アップライトピアノでダブルレペティション中にマジックタッチ効果を提供する改良した装置であって、該装置は、有名なエラール（ＨＥＲＡＲＤ）式のバネを含む支点が可動な仕組みで動作すること、を特徴とする前請求項の１項又は複数項に記載の装置。
【請求項１８】
アップライトピアノでダブルレペティション中にマジックタッチ効果を提供する改良した装置であって、該装置には１つ又は複数の記述した及び／又は図示した特徴を備えること、を特徴とする前請求項の１項又は複数項に記載の装置。
【発明の詳細な説明】
【技術分野】
【０００１】
本発明は、アップライトピアノでダブルレペティション中に所謂マジックタッチ効果を獲得するための改良した機構に関する。周知のように、アップライトピアノは音楽的に、所謂マジックタッチを再生するのに適しておらず、該マジックタッチには、実際に、必要に応じて高レベルのエネルギーを提供し、ピアノ弦が一時叩打される際に、ピアノ弦が生成する音の倍音をコンパクトにする必要がある。
【背景技術】
【０００２】
上述したコンパクト化を達成するための従来の方法は、満足のいくものではなく、というのも機械的な観点から極めて複雑で、必要な倍音特性を生成するのに不適当だからである。
【発明の開示】
【０００３】
従って、本発明の狙いは、上述した問題を、アップライトピアノでダブルレペティションのマジックタッチ効果を獲得するよう構成した装置を提供することにより解決することであり、該装置は構造的に極めて単純で、信頼性の高い構成及び構造の構成要素を極めて少数備える。
【０００４】
上述した狙いの範囲において、本発明の主な目的は、機械的に極めて効率的で、その上、特にアップライトピアノ用に設計しており、その２つのエスケープメントを、大型化又は干渉問題を発生させずに、容易に調節可能になるよう構成した、かかる装置を提供することである。
【０００５】
本発明の別の目的は、その独特な構造上の特徴のために、動作に関して極めて信頼性が高く且つ安全な、かかる装置を提供することである。
【０００６】
本発明の更に別の目的は、単に経済的観点からでも極めて優位性を有する、かかる装置を提供することである。
【０００７】
本発明の１態様によれば、上述した狙い及び目的だけでなく、更に他の目的についても、以下でより明白になるが、それらをアップライトピアノでダブルレペティション中に所謂マジックタッチ効果を提供するよう特別に設計した改良した装置によって、達成するが、該装置には、複数の鍵を備え、該鍵を揺動可能に鍵盤フレームに実装し、鍵で、其々、傾斜揺動アームと相互接続する駆動要素を支持し、次に該アームを主要揺動ブリッジ組立体に対して枢動させ、上記主要揺動ブリッジ組立体を動作可能に、第１柱状要素に対して枢動するハンマーバットローラに連結し、第１及び第２エスケープメントを調節するための複数の調節ボタンを支持し、第２柱状要素を上記揺動ブリッジ組立体に連結し、上記第２柱状要素に対して上記第２エスケープメントのレバーを枢動させ、該レバーでその動作角度を調節する調節ボタンを支持し、上記調節ボタン要素は更なる調節ボタン要素を支持する上記第１エスケープメントと協働すること、を特徴とする。
【０００８】
（発明を実施するための最良の形態）
本発明の更なる特徴及び効果については、以下の好適な、しかし専らではない、本発明の実施例に関する詳細な開示から明白になるが、該実施例を、限定ではなく、表示例として、添付図で説明する。
【０００９】
上述した図の参照番号を参照すると、この改良した装置は、特に所謂マジックタッチ効果をダブルレペティション中にアップライトピアノで提供するよう設計しており、本発明によれば、該装置には、複数の鍵１を備え、該鍵にはその自由端部に、それを楕円形先端部３に係合させて、鍵ガイド要素として動作するスロットを備え；図示するように、上記楕円形先端部３の下側に、鍵１の押下ストロークを減衰又は緩衝するパッド要素４を、設ける。
【００１０】
楕円形先端部３及びパッド要素４を鍵盤フレーム５に連結するが、該フレームで更なるパッド要素６も支持し、該要素を第２楕円形先端部７と関連させ、上記更なるパッド要素はガイドスロット８に係合させ、鍵盤の黒鍵９に関してこれを配設する。
【００１１】
上記鍵１及び９を、ガイドスロット１０を通して、固着した円形先端部１１に対して枢動させるが、該先端部は枢動ピン又は支点として機能して鍵を揺動可能にし、上記円形先端部１１はまた上記鍵盤フレーム５から突出する。
【００１２】
図示の通り、鍵１を、そのレスト状態では、更なるパッド要素１２を鍵盤フレーム５に取付けて、更に緩衝する。
【００１３】
鍵１は、その反対側端部で、金属製駆動要素１４を支持し、該要素を適当に反時計回りに傾斜させ、これをネジ調節可能にし、その上部には、弓形端部を持つ円筒形状を有して、推進力を傾斜揺動アーム１５に送る。
【００１４】
該アームにより実質的にニージョイント・レバーを提供し、該レバーを連続エネルギー又は動力エスケープメント・レバーと見なして、このレバーの角度を変化させて押鍵の加減速を制御する。
【００１５】
上記レバーには、その底部に、凹状輪郭を備え、その中に小さな緩衝用パッド又はフェルト１６を収容し、該パッド又はフェルトは駆動要素１４係合部を緩衝する機能を果たす。
【００１６】
上述した傾斜揺動アーム１５を、次に、枢動ピン１７で、柱状要素１８に対して枢動させ、該要素で更なる軸受パッド又はフェルトを支持して、そこで傾斜揺動アーム１５を支える。
【００１７】
柱状要素１８を、例えば接着剤で、主要揺動ブリッジ組立体１９に堅固に連結し、該組立体をフォーク状要素２０に関して、水平枢動ピン２１と接して、揺動可能にするが、該枢動ピンをロッドＮＫに固定し、該ロッドを、ネジで、装置のフレームワークに連結する。
【００１８】
主要ブリッジ組立体１９により、該ブリッジ組立体１９の軸（Ａ）と２本の枢動ピン２１及び３６を結ぶ軸とが異なる割合である角度Ｗを画定する。
【００１９】
上記主要ブリッジ組立体では更に金属製ロッド２２を支持し、該ロッドには、その上側自由端部に、第１ハンマー当接部又はキャッチャー２３を備え、該当接部又はキャッチャー２３は、第２ハンマー当接部又はキャッチャー２４と協働し、該第２ハンマー当接部又はキャッチャーを、金属製ロッド２５を介して、ハンマー組立体のキャッチャーシャンク２６に取付けるが、該ハンマー組立体を一般に参照番号２７で示す。
【００２０】
ハンマー２７のバット要素を枢動ピン２８について枢動させ、該枢動ピン２８を第２柱状要素２９に連結し、該第２柱状要素を、連結ネジ３０により、金属製フレーム３１に連結し、該フレームを次に本機構のフレームワーク３２に連結させる。
【００２１】
前記第２柱状要素２９を通して、貫通開口部３３を設け、該開口部に金属製ロッドを係合させ、該ロッドは、その下側端部で、第１調節ボタン３４を支持して、第１エスケープメントを調節し、該エスケープメントのレバー３５を枢動ピン３６周りに上記主要ブリッジ組立体１９に対して枢動させる。
【００２２】
上記レバー３５には、次に、テール部３７を設け、該テール部を緩衝パッド又はフェルト３８に当接するよう構成するが、該パッド又はフェルトは第１エスケープメントのボタン３４に連結させる。  
【００２３】
図２を参照すると、鍵により、それが回転運動する際に、力又はエネルギーを伝動すると、レバー又はジャック３５が、ハンマーフェルト４１を駆動させるローラ４０から外れ、それによりその反時計回りの叩打を終えても、ピン３６はブリッジ組立体１９の枢動ピンと直線を成す水平線に到達せず、枢動ピン２１の水平線の高さから上方に大きく離隔したままとなる。
【００２４】
図示の通り、ローラ４０を接続バット２７に、ハンマー２７の連結ピン４２を介して、そのバットポイント４３で関連させる。
【００２５】
上記ハンマーのバットポイント４３によりハンマーフェルト４１のロッド４４を支持し、該ハンマーフェルトを、次に、ハンマー成形体４５で支持する。
【００２６】
ハンマーロッド、又はシャンク４４は、ピアノ弦を叩打し跳ね返った後に、揺動運動でき、ストロークの終わりで又はその限定部分を制動フェルト又はパッド４６で制動し、該フェルト又はパッドをハンマー受バー４７に取付け、該バーをフレームワークのポイント４８に固着する。
【００２７】
指摘すべきは、本装置には更に第２柱状要素４９を備え、該要素を主要ブリッジ組立体１９の中間部分に配設し、該要素にはＶ字型バネ５０を含み、該バネを取着点５１で接続し、該取着点を柱状要素４９に関して設けて、該バネ端部を第２エスケープメントのレバー５２及び第１エスケープメントのレバー３５に作用させる。
【００２８】
より詳しくは、第２エスケープメントのレバー５２を、柱状要素４９に対して、水平に延在する枢動ピン５３を介して枢動させる。
【００２９】
バネ５０により、時計回りに第１エスケープメントのレバー３５及び第２エスケープメントのレバー５２を其々付勢する。  
【００３０】
上記レバー３５及び５２にはボタン要素５４及び５５を備え、該要素を調節ネジ５６及び５７で支持する。
【００３１】
本発明による装置には、その上、揺動運動緩衝要素を備え、該要素を参照番号５８で示すが、該要素にはクランクレバー５９を備え、該レバーを枢動ピン６９について枢動させ、該ピンをバー又はロッド６１に取付ける。
【００３２】
緩衝又はダンパー要素のペダル６２を、ダンパー又は緩衝レバー６７の金属体６３に連結する。
【００３３】
上記レバー５９には、その端部に、金属製スプーン状要素６４を備え、該要素を鍵１の端部と協働させ、上記鍵で支持するパッド又はフェルト６５に当接させる。
【００３４】
レバー５９を、常にバネ６０によりフェルト又はパッド６８に当接させた状態に付勢する。
【００３５】
第２スプーン状要素６６は、緩衝フェルト又はパッド６８を含むダンパーレバー６７の下端部と協働し、該レバーを揺動ピン５８周りに揺動させるよう構成する。
【００３６】
ダンパーレバー６７は、その他方端部で、金属製アーム７０を支持し、該アームでフェルト又はパッド７１を、支持要素７２を介して、受け、これを付勢バネ７４により、倍音を提供するピアノ弦７３に対して付勢する。
【００３７】
このように、本発明装置の部品要素は協働して、ピアノ弦に一定の打撃強度を、鍵１に印加される動態的圧力と関係無く、複数の高速な押鍵圧力を連続的に印加しても、加える。
【００３８】
傾斜揺動アーム１５を、レバー３５を用いて、対象の機構に高機械効率を提供し、ハンマー機構２７を利するよう構成する適当な角度を提供するよう設計及び配設する。  
【００３９】
図３では、主にバー又はロッド９４に関して更に簡潔化した装置についての変更実施例を示し、該バー又ロッドにより二重フォーク柱状要素２９を支持して、ハンマー４４を柱状要素２９の枢動ピン２８で枢動する連結バットに固定して揺動可能にしている；このクランプ機構を、プレート７５を締付ネジ７６でバット要素４３にクランプ固定して形成する。                
【００４０】
ハンマーバットにより、その側端部に、接着剤で、ハンマー２６のテール部を支持し、該ハンマーを適当に上方に時計回りに傾斜させ、該ハンマーにはハンマーキャッチャー２４を備え、該キャッチャーの下側端部は下方に延在させ、該キャッチャーは金属製アーム２５を介してテール部２６に固定する。
【００４１】
ダンパー装置６７を柱状要素２９の枢動ピン５８に対して枢動させるが、該ダンパー装置を、運動中に、摺動輪８７を金属製フォーク８６の枢動ピンに対して回転させて駆動し、該摺動輪は、運動部分で、ダンパー６７の下側端部に固着した楔状要素８８に作用するが、該要素は調節ネジ８９で調節可能とする。
【００４２】
エネルギーを、鍵を押下して伝動させると、傾斜揺動アーム１５は、主要ブリッジ組立体１９を付勢して、レバーを介して、ハンマーバット４３のローラ下にある第１エスケープメント３５及び第２エスケープメント５３に影響を及ぼす。
【００４３】
第２エスケープメントのレバーの動作ストロークを、柱状要素２９に連結する小ボタン要素９５で係止し、それにより、下方への角運動を提供するが、該角運動ではスプーン状要素８５に作用して、時計回り方向に第１エスケープメントのレバー３５を外し、それにより、ハンマー４４を、ピアノ弦を打弦後に後方に跳ね返し、その結果、図１及び図２を参照して概括的に開示したように、キャッチャー２５と協働するキャッチャー２４に衝撃を与える。
【００４４】
傾斜揺動アーム１５には、その中央部分に、調節用金属製ネジを備えており、その上端部を枢動ピン９３で枢動する部分に係合させており、該ネジは、それを反時計回りに回転させると、上方への付勢力を伝達する。
【００４５】
枢動ピン７８に対して枢動する部分に係合するその下端部では、上記ネジは、それを反時計回りに運動させる際に、その力を下方に伝達し、それにより対向側の部品を迅速に展開させる。
【００４６】
柱状要素８０をブリッジ組立体１９に固定しており、該柱状要素には幅広のスロットを備えて、第２エスケープメントのレバー５４の枢動ピン５１に対して枢動するバネ８１をそこに通過させる。
【００４７】
このようにして、バネで第１エスケープメントのレバー３５を反時計回り方向に付勢するが、それにより該レバーはフェルト又はパッド要素９３に当接し、該要素を適当に第２エスケープメントのレバーのスロット９１に係合させ、該第２エスケープメントを時計回りに付勢して調節ボタン５３で係止する。
【００４８】
ブリッジ組立体１９には、その中央部分で、スロット９０を備えてバネ８１をそこから通してブリッジ組立体の下側部分に存在させ、それにより第１及び第２エスケープメントのレバーの運動に関して弾力性を増大させる。
【００４９】
ネジ８４を調節ネジとして機能させ、バネ８１の力を調節する。
【００５０】
第１エスケープメントのレバー３５は、その下端部に、スプーン状要素８５を支持し、該要素を第２エスケープメントのレバー５１の枢動点付近に締着するボタン５５と協働させる。
【００５１】
ボタン５５を下降又は押下すると、それにより上記レバー５１に影響が及び、レバー３５を時計回りに外し、それによりハンマー４４がそのエネルギーをピアノ弦に対して自由に伝達可能になる。
【００５２】
上記の開示から、本発明により完全に意図した狙い及び目的を達成することが明白である。
【００５３】
特に、指摘すべきは、特別に設計した発明の構造的特徴により、極めて簡潔な装置を、多大な動作信頼性と共に、提供できることである。
【００５４】
本発明は、開示したように、幾つかの変更例及び変形例が可能だが、それら全てが本発明の範囲内となる。
【００５５】
例えば、水平線より上で、上向き方向に、動作するようにも構成した装置の実施例を設計可能である。
【００５６】
更に、全ての構造に関する詳細を、他の技術的等価要素と置換できる。
【００５７】
更にまた、本装置の更なる変更実施例を、有名なエラール（ＨＥＲＡＲＤ）式のバネを含む支点が可動な仕組みで動作するよう構成することも可能である。
【００５８】
本発明を実施する際に、使用する材料だけでなく付随する寸法及び形状を、必要条件及び当該技術の状況に従い、任意とできる。
【図面の簡単な説明】
【００５９】
【図１】本発明による動作機構について、そのレスト位置で、ロッドダンパー装置及びフレームを分離させた状態で、概略的に示す。
【図２】装置について、その鍵を駆動又は動作した状態で、概略的に示す。
【図３】前述した図と同様だが、本発明の装置を更に簡素化した実施例でこれを説明した図である。
【図４】本装置の更なるバージョンである。
【符号の説明】
【００６０】
１                    鍵
５                    鍵盤フレーム
６                    パッド要素
１０                  ガイドスロット
１１                  円形先端部
１４                  駆動要素
１５                  揺動アーム
１８、８０        柱状要素
１９                  揺動ブリッジ組立体
２０、                フォーク状要素
２１、２８、３６、５８    枢動ピン
２２、２５        ロッド
２３、２４        キャッチャー
２６                  キャッチャーシャンク
２７                  ハンマー
３０、５６、５７、７６、８４、８９            ネジ
３１                  金属製フレーム
３５                  第１エスケープメント・レバー
３７                  テール部
３８、４５、６５、６８、７１、９３            パッド又はフェルト
４０                  ローラ
４１                  ハンマーフェルト
５０、６０、８１      バネ
５２                  第２エスケープメント・レバー
５３、５４、５５、９５    ボタン要素
６２                  ペダル
６３                  金属体
６４、８５        スプーン状要素
６７                  ダンパー装置
７０                  アーム
７３                  ピアノ弦
８６                  フォーク
８７                  摺動輪
８８                  楔状要素
９１                  スロット
９４                  バー又はロッド
【図１】
2008513812.tif 000004
【図２】
2008513812.tif 000005
【図３】
2008513812.tif 000006
【図４】
2008513812.tif 000007
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
アップライトピアノでダブルレペティション中にマジックタッチ効果を提供するための改良した装置であって、前記装置には複数の鍵を備え、該鍵を揺動可能に鍵盤フレームに実装し、該鍵で、各々、反時計回りに斜めにした調節可能な駆動要素を支持し、該駆動要素を傾斜揺動アームに相互連結させ、該アームを、第１エスケープメント・レバーとして機能させ、主要揺動ブリッジ組立体に対して枢動させ、該組立体はハンマーのバットローラに連結した前記第１エスケープメント・レバーと共に動作可能に揺動し、該ハンマーを第１柱状要素に対して枢動させる装置であって、前記主要揺動ブリッジ組立体を、水平線に関して反時計回りに下方に傾斜させ、前記第１柱状要素には複数の調節ボタンを支持して第１及び第２エスケープメントを調節すること、前記主要揺動ブリッジ組立体には第２柱状要素を連結し、該要素に対して第２エスケープメント・レバーを枢動させ、該レバーには調節ボタンを支持してその動作角度を調節し、該レバーは前記第１エスケープメントのレバーと協働し、該レバーにも調節ボタンを支持すること、前記駆動要素は、略円筒形状を有し、ネジ調節手段及び、前記傾斜揺動アームの下側端部で画定する凹輪郭の座部に係合可能な弓形端部を備えること、及び前記揺動ブリッジ組立体には第１ハンマーチェッカーを支持し、該チェッカーは前記第２エスケープメント・レバーによって影響を受けず、前記レバーは、次に、僅かにＳ字型形状を有し、前記ハンマーのテール部に締着した第２ハンマーチェッカーと協働させること、を特徴とする装置。
【請求項２】
各前記鍵を揺動可能に前記鍵盤フレームに実装し、該鍵にはガイドスロットに収容する丸みを持った先端部を備える装置であって、鍵側面には、黒鍵を収容するよう設計したスロットを更に設けること、を特徴とする請求項１に記載の装置。
【請求項３】
前記第１エスケープメント・レバーを略上方に伸長させ、前記主要揺動ブリッジ組立体に対して枢動させ、前記レバーには角度を付けたテール部を備え、該テール部を前記第１エスケープメントのボタンに取付けたパッド又はフェルト要素に当接するよう動作させること、を特徴とする請求項１及び２に記載の装置。
【請求項４】
前記装置にはパッド又はフェルト要素を更に備え、該要素をハンマー受バーに取付け、該バーをハンマーロッド用ストローク要素端部として機能させるよう構成すること、を特徴とする前請求項の１項又は複数項に記載の装置。
【請求項５】
前記装置には、前記主要揺動ブリッジ組立体の第２柱状要素に、Ｖ字型バネを更に備え、該バネは第１エスケープメント・レバーと第２エスケープメント・レバーとの間で機能し、第２柱状要素に対して枢動すること、を特徴とする前請求項の１項又は複数項に記載の装置。
【請求項６】
前記装置には、ピアノ弦音を減衰するダンパー要素を更に備え、前記ダンパー要素には、クランクレバーを備えて、その両端部に其々第１及び第２の金属製スプーン状要素を連結し、該要素を其々鍵の端部及びダンパーレバーの下側部と協働させ、該ダンパーレバーはその中央部周りで揺動でき、前記ダンパーレバーには、その他方端部で減衰用の仕組みであるフェルト又はパッド要素を支持し、該要素をピアノ弦に作用させること、を特徴とする前請求項の１項又は複数項に記載の装置。
【請求項７】
各ハンマーには連結用ハンマーバットを有し、該ハンマーバットにはその側端部で接着により、ハンマーテール部を、上方に時計回りに傾斜させて、支持し、該テール部には、その下側端部を下方向に向けて、次に金属製アームで前記テール部に固定してハンマーキャッチャーを備え、ダンパー装置を、柱状要素のピンに対して枢動させ、該ダンパー装置を金属製フォークの枢動ピンに対して枢動する摺動輪の運動中に、駆動し；該摺動輪を、その運動部で、ダンパー組立体の下側端部に締着した楔状要素に作用させるが、該要素はネジ調節可能であり；鍵がそのエネルギーを与えると、前記傾斜揺動アームは、前記主要ブリッジ組立体を付勢し、ハンマーバットローラ下にある、前記第１エスケープメント・レバー及び第２エスケープメント・レバーを介して、動作すること、を特徴とする前請求項の１項又は複数項に記載の改良した装置。
【請求項８】
前記第２エスケープメント・レバーを、その動作ストローク中に、前記柱のボタンにより係止し、それにより角度運動を提供し、該運動は、前記スプーンに作用することで、前記第１エスケープメント・レバーを下降させ、それにより前記ハンマーを、ピアノ弦を叩打後に後方に、跳ね返り可能にして、第２ハンマーキャッチャーと協働する前記第１ハンマーキャッチャーと固定係合させ、前記傾斜振動アームには、その中間部分に、その枢動部分に係合する上側端部を有する調節用金属製ネジを備え、前記ネジは、その反時計回りの回転運動中には、上方向への力を提供し、一方、前記ネジの下端部で、前記枢動部分に係合し、前記ネジが反時計回り方向に動作すると、下方向の力を伝達し、それにより対向側での迅速な部品の展開運動を発生させること、を特徴とする前請求項の１項又は複数項に記載の改良した装置。
【請求項９】
前記柱を、前記主要揺動ブリッジに固定し、該柱には、幅広のスロットを備えて、前記第２エスケープメント・レバーに対して枢動するバネを該スロットから通し、それにより該バネで前記第１エスケープメント・レバーを、反時計回りに方向付け可能にして、前記調節ボタンで時計回りに方向付け及び係止する前記第２エスケープメント・レバーのスロットに係合させた前記フェルトに対して停止当接させること、を特徴とする前請求項の１項又は複数項に記載の改良した装置。
【請求項１０】
前記揺動ブリッジには、その中央部分に、バネを前記ブリッジの下側部分に存在させるようにそこを通過させるスロットを備え、前記ネジを調節ネジとして機能させて該バネ力を調節すること、を特徴とする前請求項の１項又は複数項に記載の改良した装置。
【請求項１１】
前記第１エスケープメント・レバーには、その下端部に、スプーン状要素を支持し、前記要素は前記第２エスケープメント・レバーの枢動点に取着したボタンと協働すること、を特徴とする前請求項の１項又は複数項に記載の改良した装置。
【国際調査報告】
2008513812.tif 000008
2008513812.tif 000009